(57)【要約】【課題】浮遊性夾雑物物が遮集管に流入し易い水流を発生させることにより、浮遊性夾雑物の公共用水域への流出を減少させることができる雨水吐き室を提供すること。【解決手段】流入管１と遮集管２の間に分水堰３を設け、分水堰３に越流雨水除塵装置４を設置した雨水吐き室において、流入した雨水をせき止めて越流雨水除塵装置４に振り分ける越流堰６を遮集管２の上流側に所要離間して設置するとともに、該越流堰６の下部に通水用水路６１を形成し、かつ越流雨水除塵装置４側に切欠部６２を設ける。【選択図】図１
2006161301.tif 000002
【特許請求の範囲】
【請求項１】
流入管と遮集管の間に分水堰を設け、該分水堰に越流雨水除塵装置を設置した雨水吐き室において、流入した雨水をせき止めて越流雨水除塵装置に振り分ける越流堰を遮集管の上流側に所要離間して設置するとともに、該越流堰の下部に通水用水路を形成し、越流雨水除塵装置側に切欠部を設けたことを特徴とする雨水吐き室。
【発明の詳細な説明】
【技術分野】
【０００１】
本発明は下水道雨水吐き室に関し、特に、分水堰の越流雨水除塵装置で捕捉した浮遊性夾雑物を効果的に遮集管へ移送することができる雨水吐き室に関するものである。
【背景技術】
【０００２】
雨水吐き室内は、流入管と遮集管の間に分水堰を設け、大量に流入した雨水を放流管を介して公共用水域に排水するようにしている。
分水堰に設置した越流雨水除塵装置は、浮遊性夾雑物の公共用水域への流出防止を目的としているが、水量が増えると遮集管が水没するため、越流雨水除塵装置で捕捉した浮遊性夾雑物が遮集管に排出されず、越流雨水除塵装置の前面に滞留する。
さらに流入水量が増加し越流雨水除塵装置の高さを上回るようになると、浮遊性夾雑物は越流雨水除塵装置を越流し放流管に排出され、公共用水域へ流出してしまうため、初期の夾雑物は遮集管へ効率良く排出する必要がある。
【発明の開示】
【発明が解決しようとする課題】
【０００３】
本発明は、上記従来の雨水吐き室が有する問題点に鑑み、浮遊性夾雑物物が遮集管に流入し易い水流を発生させることにより、浮遊性夾雑物の公共用水域への流出を減少させることができる雨水吐き室を提供することを目的とする。
【課題を解決するための手段】
【０００４】
上記目的を達成するため、本発明の雨水吐き室は、流入管と遮集管の間に分水堰を設け、該分水堰に越流雨水除塵装置を設置した雨水吐き室において、流入した雨水をせき止めて越流雨水除塵装置に振り分ける越流堰を遮集管の上流側に所要離間して設置するとともに、該越流堰の下部に通水用水路を形成し、越流雨水除塵装置側に切欠部を設けたことを特徴とする。
【発明の効果】
【０００５】
本発明の雨水吐き室によれば、流入管と遮集管の間に分水堰を設け、該分水堰に越流雨水除塵装置を設置した雨水吐き室において、流入した雨水をせき止めて越流雨水除塵装置に振り分ける越流堰を遮集管の上流側に所要離間して設置するとともに、該越流堰の下部に通水用水路を形成し、越流雨水除塵装置側に切欠部を設けることから、増水した水を越流堰でせき止めて越流雨水除塵装置に振り分けるとともに、越流堰の切欠部から下流側に水を流すことにより、遮集管に浮遊性夾雑物を流入させる水流を作ることができ、さらに、この切欠部からの水流によって、越流雨水除塵装置に滞留する浮遊性夾雑物も遮集管へと流出させることができ、これにより、浮遊性夾雑物の公共用水域への流出を減少させることができる。
また、通常の水量のときは通水用水路から遮集管に通水し、遮集管に浮遊性夾雑物を流入させることができる。
【発明を実施するための最良の形態】
【０００６】
以下、本発明の雨水吐き室の実施の形態を、図面に基づいて説明する。
【実施例１】
【０００７】
図１〜図２に、本発明の雨水吐き室の一実施例を示す。
この雨水吐き室は、流入管１と遮集管２の間に分水堰３を設け、該分水堰３に越流雨水除塵装置４を設置することにより、雨水が大量に流入した場合に放流管（図示省略）を介して公共用水域に排水するようにしている。
そして、この雨水吐き室は、流入した雨水をせき止めて越流雨水除塵装置４に振り分ける越流堰６を遮集管２の上流側に所要離間して設置するとともに、該越流堰６の下部に通水用水路６１を形成し、かつ越流雨水除塵装置４側に切欠部６２を設けている。
【０００８】
流入管１と遮集管２は、雨水吐き室の前後に各々設けられており、分水堰３は、雨水吐き室の後部寄りで側壁７を部分的に低くすることにより形成されている。
【０００９】
越流雨水除塵装置４は、半裁筒状のフィルタ機能を有するスクリーン４１と、駆動パドル５によって回転駆動されるクリーニング用ブラシ４２を備え、側壁７の内側に開口するように分水堰３の上に設置されている。
この越流雨水除塵装置４と分水堰３は、遮集管２とある程度の間隔をおいて設置されている。
【００１０】
越流堰６は、流入管１と遮集管２の間の水路を遮断するように、遮集管２と分水堰３の間で分水堰３の終端付近に配設されている。
越流堰６は、分水堰３より高く、越流雨水除塵装置４の上端付近まで設けられている。
また、越流堰６の切欠部６２は高さが調整可能であり、本実施例では越流雨水除塵装置４の中間高さに設定されている。
越流堰６と遮集管２との間には所要広さの空間部８が設けられており、水位が分水堰３を越えたときに、前記切欠部６２からこの空間部８に水を落とすことにより、遮集管２を埋没させずに該遮集管２に流れる水流を発生させることができる。
【００１１】
次に、本実施例の雨水吐き室の作用を説明する。
特に増水することがない通常の水位では、流入管１から入った水は越流堰６の通水用水路６１を通って遮集管２から排出される。このときの水位は遮集管２を閉塞するものではないため、浮遊性夾雑物（図示省略）は水と共に遮集管２から排出される。
一方、大雨等で増水した場合は、流入管１から入った水が越流堰６でせき止められ、大部分が分水堰３を越えて越流雨水除塵装置４に流入するとともに、一部が越流堰６の切欠部６２から下流側に流出する。
この際、越流雨水除塵装置４に流入した水が流れの勢いで逆流することにより、除塵装置内部の浮遊性夾雑物が越流堰６の切欠部６２から水と共に流出する。
越流堰６の切欠部６２から流出した水は、流入水量が制限される浅い空間部８において、遮集管２に浮遊性夾雑物を流入させる水流を作ることができ、これにより、浮遊性夾雑物を遮集管２側で遮集し、公共用水域への流出を減少させることができる。
【００１２】
かくして、本実施例の雨水吐き室は、流入管１と遮集管２の間に分水堰３を設け、該分水堰３に越流雨水除塵装置４を設置した雨水吐き室において、流入した雨水をせき止めて越流雨水除塵装置４に振り分ける越流堰６を遮集管２の上流側に所要離間して設置するとともに、該越流堰６の下部に通水用水路６１を形成し、かつ越流雨水除塵装置４側に切欠部６２を設けることから、増水した水を越流堰６でせき止めて越流雨水除塵装置４に振り分けるとともに、越流堰６の切欠部６２から下流側に水を流すことにより、遮集管２に浮遊性夾雑物を流入させる水流を作ることができ、さらに、この切欠部６２からの水流によって、越流雨水除塵装置４に滞留する浮遊性夾雑物も遮集管２へと流出させることができ、これにより、浮遊性夾雑物の公共用水域への流出を減少させることができる。
また、通常の水量のときは通水用水路６１から遮集管２に通水し、遮集管２に浮遊性夾雑物を流入させることができる。
【００１３】
以上、本発明の雨水吐き室について、その実施例に基づいて説明したが、本発明は上記実施例に記載した構成に限定されるものではなく、実施例に記載した構成を適宜組み合わせる等、その趣旨を逸脱しない範囲において適宜その構成を変更することができる。
【産業上の利用可能性】
【００１４】
本発明の雨水吐き室は、増水時でも浮遊性夾雑物を遮集管に流入させることができるという特性を有していることから、例えば、浮遊性夾雑物の公共用水域への流出を減少させることを目的とした雨水吐き室の用途に好適に用いることができるほか、その他の雨水吐き室の用途にも用いることができる。
【図面の簡単な説明】
【００１５】
【図１】本発明の雨水吐き室の一実施例を示す縦断面図である。
【図２】同水平断面図である。
【図３】（ａ）は図１のＡ−Ａ線矢視相当図、（ｂ）は越流堰を省略した図１のＡ−Ａ線矢視相当図である。
【符号の説明】
【００１６】
１    流入管
２    遮集管
３    分水堰
４    越流雨水除塵装置
４１  スクリーン
４２  クリーニング用ブラシ
５    除塵装置駆動パドル
６    越流堰
６１  通水用水路
６２  切欠部
７    側壁
８    空間部
【図１】
2006161301.tif 000003
【図２】
2006161301.tif 000004
【図３】
2006161301.tif 000005